(57)【要約】【課題】  より操作性を高めることが可能な表示操作端末装置、画像表示装置、および、これらに適用される表示操作システム、並びに表示操作方法を提供する。【解決手段】  サブパネル２００は、メモリ２３に格納された画像情報、および制御信号をメインパネル１００に送信する。メインパネル１００は、受信画像をバッファ３に、制御信号を制御部１に入力し、制御信号に基づいて受信画像を表示する。サブパネル２００は、さらに操作用の制御信号を送信し、メインパネル１００に表示させた画像の更新や、メインパネル１００との間で行う表示の切換えなどの操作を行う。【選択図】        図１
2005039506.tif 000002
【特許請求の範囲】
【請求項１】
画像表示手段を備えた画像表示装置とは別体として設けられた表示操作端末装置であって、
所定の情報提供媒体から画像情報を含む提示対象情報を受け取る受取手段と、
受け取った提示対象情報と共に操作用画面を表示して各種の操作指令を受け付ける表示操作手段と、
前記画像表示装置との間で通信を行う通信手段と、
前記表示操作手段に対する操作指令により指定された前記提示対象情報を前記通信手段を介して前記画像表示装置に送信し、前記画像表示手段を用いてその提示対象情報を提示させるように制御する制御手段と
を備えたことを特徴とする表示操作端末装置。
【請求項２】
前記制御手段は、前記表示操作手段に対する操作指令に応じて、前記画像表示装置において現に提示されている提示対象情報の一つ前の提示対象情報を前記画像表示装置に提示させるように制御を行う
ことを特徴とする請求項１に記載の表示操作端末装置。
【請求項３】
前記制御手段は、前記表示操作手段に対する操作指令に応じて、前記画像表示装置において現に提示されている提示対象情報の一つ後の提示対象情報を前記画像表示装置に提示させるように制御を行う
ことを特徴とする請求項１に記載の表示操作端末装置。
【請求項４】
前記制御手段は、前記表示操作手段に対する操作指令に応じて、前記画像表示装置の前記画像表示手段によって現に提示されている画像を回転させるように制御を行う
ことを特徴とする請求項１に記載の表示操作端末装置。
【請求項５】
前記制御手段は、前記表示操作手段に対する操作指令に応じて、前記画像表示装置において提示する対象の提示対象情報を、予め定められた所定の時間間隔で切り換えるように制御を行う
ことを特徴とする請求項１に記載の表示操作端末装置。
【請求項６】
前記制御手段は、前記表示操作手段に対する操作指令に応じて、前記所定の時間間隔での提示対象情報の提示の切り換えを一時的に停止させるように制御を行う
ことを特徴とする請求項５に記載の表示操作端末装置。
【請求項７】
前記制御手段は、前記表示操作手段に対する操作指令に応じて、前記画像表示装置の前記画像表示手段によって現に提示されている画像を前記表示操作手段に表示させるように制御を行う
ことを特徴とする請求項１に記載の表示操作端末装置。
【請求項８】
前記画像表示装置がテレビジョン受像機である場合において、
前記制御手段は、前記表示操作手段に対する操作指令に応じて、前記画像表示装置において現に提示されている放送番組または再生番組を中断させると共に前記表示操作手段に対する操作指令により指定された前記提示対象情報を提示させるように割り込み制御を行う
ことを特徴とする請求項１に記載の表示操作端末装置。
【請求項９】
前記制御手段は、前記割り込み制御に基づく情報提示が終了したとき、中断前に提示されていた放送番組または再生番組を再開させるように制御を行う
ことを特徴とする請求項８に記載の表示操作端末装置。
【請求項１０】
前記情報提供媒体は、前記受取手段に対して着脱可能に装着される半導体メモリ装置である
ことを特徴とする請求項１に記載の表示操作端末装置。
【請求項１１】
別体として設けられた表示操作端末装置との間で通信を行う通信手段と、
画像を表示する画像表示手段と、
前記表示操作端末装置から送られてきた画像情報を含む提示対象情報を前記通信手段を介して受け取ると共に、前記表示操作端末装置からの指令に応じて、その受け取った提示対象情報を、前記画像表示手段を用いて提示させるように制御を行う制御手段とを備えたことを特徴とする画像表示装置。
【請求項１２】
前記制御手段は、前記表示操作端末装置からの操作指令に応じて、前記画像表示手段を用いて現に提示されている提示対象情報の一つ前の提示対象情報を、前記画像表示手段を用いて提示させるように制御を行う
ことを特徴とする請求項１１に記載の画像表示装置。
【請求項１３】
前記制御手段は、前記表示操作端末装置からの操作指令に応じて、前記画像表示手段を用いて現に提示されている提示対象情報の一つ後の提示対象情報を、前記画像表示手段を用いて提示させるように制御を行う
ことを特徴とする請求項１１に記載の画像表示装置。
【請求項１４】
前記制御手段は、前記表示操作端末装置からの操作指令に応じて、前記画像表示手段を用いて現に提示されている画像を回転させるように制御を行う
ことを特徴とする請求項１１に記載の画像表示装置。
【請求項１５】
前記制御手段は、前記表示操作端末装置からの操作指令に応じて、前記画像表示手段を用いて提示する対象の提示対象情報を、予め定められた所定の時間間隔で切り換えるように制御を行う
ことを特徴とする請求項１１に記載の画像表示装置。
【請求項１６】
前記制御手段は、前記表示操作端末装置からの操作指令に応じて、前記所定の時間間隔での情報提示の切り換えを一時的に停止させるように制御を行う
ことを特徴とする請求項１５に記載の画像表示装置。
【請求項１７】
前記制御手段は、前記表示操作端末装置からの操作指令に応じて、前記画像表示手段に現に表示されている画像を、前記表示操作端末装置に表示させるように制御を行う
ことを特徴とする請求項１１に記載の画像表示装置。
【請求項１８】
前記画像表示装置がテレビジョン受像機である場合において、
前記制御手段は、前記表示操作端末装置からの操作指令に応じて、前記画像表示手段を用いて現に提示されている放送番組または再生番組を中断させると共に、前記表示操作端末装置からの操作指令により指定された前記提示対象情報を提示させるように割り込み制御を行う
ことを特徴とする請求項１１に記載の画像表示装置。
【請求項１９】
前記制御手段は、前記割り込み制御に基づく提示対象情報の提示が終了したとき、中断前に提示されていた放送番組または再生番組を再開させるように制御を行う
ことを特徴とする請求項１８に記載の画像表示装置。
【請求項２０】
第１および第２の記憶手段を備え、
前記制御手段は、前記表示操作端末装置から受け取った一つの提示対象情報を前記第１の記憶手段に格納することによりその提示対象情報を提示させると共に、その提示対象情報の提示期間中に、前記表示操作端末装置から次の提示対象情報を受け取って前記第２の記憶手段に格納するように制御を行う
ことを特徴とする請求項１１に記載の画像表示装置。
【請求項２１】
互いに別体として設けられ、相互間で通信を行う表示操作端末装置および画像表示装置を備え、
前記表示操作端末装置は、
所定の情報提供媒体から画像情報を含む提示対象情報を受け取る受取手段と、
受け取った提示対象情報と共に操作用画面を表示して各種の操作指令を受け付ける表示操作手段と、
前記画像表示装置との間で通信を行う通信手段と、
前記表示操作手段に対する操作指令により指定された前記提示対象情報を前記通信手段を介して前記画像表示装置に送信し、前記画像表示手段を用いてその提示対象情報を提示させるように制御する第１の制御手段と
を含み、
前記画像表示装置は、
前記表示操作端末装置との間で通信を行う通信手段と、
画像を表示する画像表示手段と、
前記表示操作端末装置から送られてきた画像情報を含む提示対象情報を前記通信手段を介して受け取ると共に、前記表示操作端末装置からの指令に応じて、その受け取った提示対象情報を、前記画像表示手段を用いて提示させるように制御を行う第２の制御手段と
を含むことを特徴とする表示操作システム。
【請求項２２】
互いに別体として設けられ、相互間で通信を行う表示操作端末装置および画像表示装置に適用される表示操作方法であって、
前記表示操作端末装置が、所定の情報提供媒体から画像情報を含む提示対象情報を受け取り、受け取った提示対象情報と操作用画面を表示して各種の操作指令を受け付け、受け取った操作指令により指定された前記提示対象情報を前記画像表示装置に送信すると共に、前記画像表示装置にその提示対象情報を提示させるように制御を行い、
前記画像表示装置が、前記表示操作端末装置から送られてきた提示対象情報を受け取り、前記表示操作端末装置からの指令に応じて、その受け取った提示対象情報を提示する
ことを特徴とする表示操作方法。
【発明の詳細な説明】
【技術分野】
【０００１】
本発明は、例えばテレビジョン受像機における子機、親機のように連携動作を行う表示操作端末装置、画像表示装置、これらの装置を包含した表示操作システム、並びにこれらの装置に適用される表示操作方法に関する。
【背景技術】
【０００２】
近年のディジタル放送の運用に伴い、ディジタル放送を受信するテレビジョン受像機（ＤＴＶ）が販売されている。ＤＴＶのなかには、ディジタル記録媒体に納められた画像音声データの再生出力を行うものや、インターネットのホームページを閲覧できるものなどもある。いまや、テレビジョン受像機は、単なる放送受信用ではなく、各種の形態をとる外部情報を取り込んで出力する装置として進化している。
【０００３】
これに伴い、テレビジョン受像機を遠隔操作する装置（いわゆるリモコン）の機能も多様化しつつある。また、従来のテレビジョン受像機におけるピクチャーインピクチャー機能、つまり「親画面」と「子画面（親画面のなかに表示される窓状の画面）」による表示方法を拡張し、親画面を表示する「親機」と、子画面を表示する親機とは別体の「子機」からなる表示システムが提案されている。例えば、特許文献１には、子機に、親機の表示内容と連携または連動する内容を表示させるシステムが記載されている。これによれば、ユーザは、大型かつ据置型の親機が出力する映像等を離れた位置で視聴しながら、小型の子機で文字などの関連情報を手元で見ることなどができる。
【特許文献１】特開２０００−１８１４２１号公報
【発明の開示】
【発明が解決しようとする課題】
【０００４】
一方、本発明の出願人は、親機ともいうべきＤＴＶと、それに対するリモコン機能を備えた小型の表示装置を開発している。この小型表示装置は、例えばＬＣＤ（Liquid Crystal Display）のディスプレイ上にタッチパネルが積層されて構成され、タッチパネル上に表示するＧＵＩ（Graphical User Interface）によって、ユーザの各種操作が行われる。加えて、メモリースティック（登録商標）用のスロットがあり、メモリースティック（登録商標）から取り込んだ静止画像を再生できるようになっている。ちなみに、メモリースティック（登録商標）とは、近年普及した小型で棒状のフラッシュメモリタイプの記録・再生可能な記録媒体であり、携帯ディジタル音楽プレーヤに代表される各種ディジタル機器において使用されている。
【０００５】
しかしながら、従来においては、ＤＴＶと小型表示装置は、このような記録媒体の画像表示に関してはそれぞれ別途独立に動作するようになっていた。そのため、ＤＴＶに画像を表示させる場合は、小型表示装置を使って操作することができず、本体に付設されている外部入力ボタン等による操作を行っていた。通常、ＤＴＶの画面はかなり大きいため、ユーザからみれば、このように本体の傍で操作すると画面が見づらく、操作が必ずしも楽ではなかった。一方、小型表示装置に画像を表示させる場合は、手元の操作は楽あるが、当然、大きく表示することができない。さらに、例えば小型表示装置に差し込んでおいた記録媒体のデータをＤＴＶで見ようとするときには、いったん記録媒体を抜いて、ＤＴＶに入れ換えなければならない。したがって、これらについては、使いやすさという点で、利便を図る余地がみられた。
【０００６】
本発明はかかる問題に鑑みてなされたもので、その目的は、より操作性を高めることが可能な表示操作端末装置、画像表示装置、および、これらに適用される表示操作システム、並びに表示操作方法を提供する。
【課題を解決するための手段】
【０００７】
本発明の表示操作端末装置は、画像表示手段を備えた画像表示装置とは別体として設けられ、所定の情報提供媒体から画像情報を含む提示対象情報を受け取る受取手段と、受け取った提示対象情報と共に操作用画面を表示して各種の操作指令を受け付ける表示操作手段と、画像表示装置との間で通信を行う通信手段と、表示操作手段に対する操作指令により指定された提示対象情報を通信手段を介して画像表示装置に送信し、画像表示手段を用いてその提示対象情報を提示させるように制御する制御手段とを備えたものである。
【０００８】
ここでいう「画像表示装置」は、例えばテレビジョン受像機のことである。また、「情報提供媒体」とは、半導体メモリ装置などの記憶媒体、またはインターネット等に用いる通信媒体、紙媒体等の外部から各種情報を提供する媒体を指している。この情報提供媒体から受け取る「画像情報を含む提示対象情報」には、静止画情報、動画情報、テキスト情報、音声情報が含まれる。さらに、本発明において「画像表示手段を用いて」というのは、「少なくとも画像表示手段を用いて」という意味であり、「画像表示手段を用いて…提示する（させる）」とは、画像情報を画像表示手段に表示し（させ）、同時に画像情報以外の情報（音声情報など）があれば、これも適切な提示手段により提示する（させる）ことをいう。すなわち、本発明における「提示」とは、視覚的な提示（画像表示）のみならず、聴覚的な提示（音声出力）も含んでいる。また、単に画像の表示や音声の出力を指すのではなく、本発明における「提示」は、提示に関わる全ての制御（例えば、表示する画像の切り換え、画像の回転表示など）まで含めた動作を表している。
【０００９】
本発明の表示操作端末装置では、操作表示手段に、外部より受け取った提示対象情報が操作用画面と共に表示される。例えば、提示対象情報が画像情報であれば画像そのもの、音声情報など直に表示できないものであれば、タイトル等の提示対象情報の識別に利用できる付随情報を表示する。これらを利用し、表示操作手段において、提示対象とする情報の指定と、提示に関わる制御の種類の指定が、操作指令として受け付けられる。制御手段は、表示操作手段に対する操作指令に応じて、提示対象情報を画像表示装置に送信すると共に画像表示手段を含む適切な手段により提示対象情報を提示するように画像表示装置を制御する。提示の形態としては、具体的には、画像表示装置において現に提示されている提示対象情報の一つ前の提示対象情報、または、一つ後の提示対象情報を提示させることが好ましい。この場合に、「一つ前の提示対象情報」とは、提示の順序が予め定められている一連の提示対象情報のうち、現在提示されている提示対象情報の直前の提示対象情報をいう。例えば、静止画の場合は一枚前の静止画であり、動画であれば１クリップ前の動画がこれに対応する。また、「一つ後の提示対象情報」とは、提示の順序が予め定められている一連の提示対象情報のうち、現在提示されている提示対象情報の直後の提示対象情報を指す。例えば、静止画の場合は一枚後の静止画であり、動画であれば、１クリップ前の動画がこれに対応する。
【００１０】
また、画像表示装置がテレビジョン受像機である場合において、制御手段は、表示操作手段に対する操作指令に応じて、画像表示装置において現に提示されている放送番組または再生番組を中断させると共に表示操作手段に対する操作指令により指定された提示対象情報を提示させるように割り込み制御を行うことが利便性の点で好ましい。さらに、その場合に制御手段が、割り込み制御に基づく情報提示が終了したとき、中断前に提示されていた放送番組または再生番組を再開させるように制御を行うことが、より好ましい。ここでいう「放送番組」とは、電波または有線通信回線を介して現に放送中の番組のことであり、「再生番組」とは、ビデオの画像音声情報など、記録媒体に記録された情報を再生することにより提示される番組を指している。
【００１１】
本発明の画像表示装置は、別体として設けられた表示操作端末装置との間で通信を行う通信手段と、画像を表示する画像表示手段と、表示操作端末装置から送られてきた画像情報を含む提示対象情報を通信手段を介して受け取ると共に、表示操作端末装置からの指令に応じて、その受け取った提示対象情報を、画像表示手段を用いて提示させるように制御を行う制御手段とを備えたものである。
【００１２】
本発明の画像表示装置では、制御手段が、表示操作端末装置から送られてきた提示対象情報を受け取り、その受け取った提示対象情報を、表示操作端末装置からの指令に応じて画像表示手段を用いて提示させる。
【００１３】
本発明の表示操作システムは、互いに別体として設けられ、相互間で通信を行う表示操作端末装置および画像表示装置を備え、表示操作端末装置は、所定の情報提供媒体から画像情報を含む提示対象情報を受け取る受取手段と、受け取った提示対象情報と共に操作用画面を表示して各種の操作指令を受け付ける表示操作手段と、画像表示装置との間で通信を行う通信手段と、表示操作手段に対する操作指令により指定された提示対象情報を通信手段を介して画像表示装置に送信し、画像表示手段を用いてその提示対象情報を提示させるように制御する第１の制御手段とを含み、画像表示装置は、表示操作端末装置との間で通信を行う通信手段と、画像を表示する画像表示手段と、表示操作端末装置から送られてきた画像情報を含む提示対象情報を通信手段を介して受け取ると共に、表示操作端末装置からの指令に応じて、その受け取った提示対象情報を、画像表示手段を用いて提示させるように制御を行う第２の制御手段とを含んだものである。
【００１４】
本発明の表示操作方法は、互いに別体として設けられ、相互間で通信を行う表示操作端末装置および画像表示装置に適用される表示操作方法であって、表示操作端末装置が、所定の情報提供媒体から画像情報を含む提示対象情報を受け取り、受け取った提示対象情報と操作用画面を表示して各種の操作指令を受け付け、受け取った操作指令により指定された提示対象情報を画像表示装置に送信すると共に、画像表示装置にその提示対象情報を提示させるように制御を行い、画像表示装置が、表示操作端末装置から送られてきた提示対象情報を受け取り、表示操作端末装置からの指令に応じて、その受け取った提示対象情報を提示するようにしたものである。
【００１５】
本発明の表示操作システム、および本発明の表示操作方法では、表示操作端末装置は、外部より受け取った提示対象情報を自ら提示する代わりに画像表示装置に送り、この提示対象情報を受け取った画像表示装置が、その提示を行う。さらに、表示操作端末装置は、提示対象情報の提示に関する操作指令を受け付け、この操作指令に応じて画像表示装置における情報提示状況を操作する。
【発明の効果】
【００１６】
本発明の表示操作端末装置、本発明の画像表示装置、および本発明の表示操作システム、並びに本発明の表示操作方法によれば、以下に説明するように、画像表示装置が、表示操作端末装置から送られてくる提示対象情報や操作指令を受け取り、提示対象情報を表示操作端末装置に代わって提示するようにしたので、表示操作端末装置の情報を、表示操作端末装置にて提示するのと同様の操作により画像表示装置にも提示できる。したがって、表示操作端末装置を操作することによって、表示操作端末装置と画像表示装置のいずれにも情報を提示させることができ、ユーザの利便性が増す。
【発明を実施するための最良の形態】
【００１７】
以下、本発明の実施の形態について、図面を参照して詳細に説明する。
【００１８】
図１は、本発明の一実施の形態に係る情報出力システムの主要部の構成を表している。この情報出力システム３００は、メインパネル１００，サブパネル２００から構成されている。
【００１９】
メインパネル１００は、具体的にはＤＴＶであり、制御部１、サブパネル２００との間で双方向通信を行う通信制御部２、画像情報を格納するバッファ３，バッファ４、信号再生用のデコーダ５、入力信号の切り換えを行うＡＶスイッチ（ＳＷ）６、１１０°ＣＳ（以下、単にＣＳと記す）ディジタル放送，ＢＳディジタル放送を受信するディジタルチューナ７、地上波信号を受信するアナログチューナ８、ビデオ信号再生回路９、ＡＶＳＷ６からの入力信号に対し、表示に必要な処理を施す信号処理回路１０、信号処理回路１０から画像信号が入力されることにより画像を表示するディスプレイ１１を含んで構成されている。ディスプレイ１１は、例えばＰＤＰ（Plasma Display Panel），ＬＣＤ（Liquid Crystal Display）等の大型ディスプレイである。なお、ここでは詳しく説明しないが、メインパネル１００もサブパネル２００と同様、メモリ用のスロットおよびメモリ処理部を有しており（いずれも図示せず）、制御部１の制御下で、自身に装着されたメモリが記憶する画像を、ディスプレイ１１に表示させることができるようになっている。
【００２０】
制御部１は、ここでは、サブパネル２００における操作入力による各種の制御信号を、通信制御部２を介して受信し、制御信号に応じてバッファ３，４、デコーダ５、ＡＶＳＷ６の制御を行うようになっている。
【００２１】
通信制御部２は、サブパネル２００の通信制御部２２との間で無線通信を行う回路部である。両者間の通信には、例えばＩＥＥＥ（Institute of Electrical and Electronics Engineers ）802.11の無線方式、より具体的には802.11aの規格が適用される。これにより、使用帯域5.2ＧＨｚ、最大伝送速度５４Ｍbpsが実現される。
【００２２】
バッファ３は、通信制御部２を介してサブパネル２００から受信した画像情報を、一旦格納しておくデータ保存用のバッファである。バッファ４は、バッファ３から出力される画像情報を受け取り、デコーダ５に出力する画像情報を格納しておく表示用データのためのバッファである。
【００２３】
ここで、サブパネル２００は、持ち運びして使用できる携帯型の端末装置である。サブパネル２００は、この装置の各種制御を行う制御部２１、メインパネル１００との間で双方向通信を行う通信制御部２２、スロット２４、メモリ処理部２５、およびディスプレイ２６を含んで構成されている。スロット２４は、メモリ２３を装着するために設けられている。メモリ２３は、どのようなものであってもよいが、例えばメモリースティック（登録商標）である。また、メモリ２３が保持する情報としては、画像情報、音声情報およびデータ情報などが挙げられるが、ここでは典型例として、静止画像を例にとって説明することにする。
【００２４】
このサブパネル２００は、メインパネル１００と連動して様々な制御を行うものであり、メインパネル１００を操作するリモコン機能を有しつつも、自身もディスプレイ２６において表示を行うようになっている点に特徴がある。ディスプレイ２６は、例えばＬＣＤの上にタッチパネルが積層されて構成され、タッチパネル上に表示するＧＵＩ（Graphical User Interface）によって、ユーザの各種操作が行われる。なお、本実施の形態では、メインパネル１００，サブパネル２００がそれぞれ本発明の「受信用表示装置」，「送信用表示装置」の一具体例に対応している。
【００２５】
図２は、ディスプレイ２６の初期画面の一例として「インデックス画面」を表したものである。このインデックス画面３０では、メモリ２３に保存されている画像のサムネイルがインデックス３１Ａとして表示され、各々にチェックボックス３１Ｂが設けられている。チェックボックス３１ＢはＧＵＩであり、指で触れることによって表示画像に指定するようになっている。また、画面下欄には、その他の操作ボタン３２〜３９が並んでいる。操作ボタン３２〜３９のそれぞれに対応する操作内容は、図３の表３０Ａにまとめたとおりである。すなわち、チェックボックス３１Ｂと、操作ボタン３４〜３８は、表示画像を選択するためのものであり、インデックス３１Ａと操作ボタン３２，３３は、表示方法を指示するものである。
【００２６】
操作ボタン３２は、「キャッチ」を指示する。ここでいう「キャッチ」とは、メインパネル１００にサブパネル２００の側からメモリ２３の画像を送って表示させているとき、その画像をサブパネル２００に呼び戻す操作をいう。実際には、サブパネル２００が画像情報を持っているので、サブパネル２００は、メインパネル１００から画像情報を送り返してもらう必要はなく、操作ボタン３２が押された時点でメインパネル１００が表示していた画像を特定できればよい（詳細は動作説明として後述する）。画像の特定方法としては、例えば、制御部２１が、一枚分づつ画像情報をメインパネル１００側に送出するようにし、送出のタイミングに基づいて特定するようにしてもよい。あるいは、制御部２１が、メインパネル１００の制御部１に、表示画像を特定する情報を送るように要求し、受信した情報に基づいて画像を特定するようにしてもよい。
【００２７】
操作ボタン３３は、「スライドショー」を指示する。「スライドショー」とは、一連の画像のそれぞれを一定の時間間隔で、順次ディスプレイ２６に表示する操作をいう。ちなみに、１画像あたりの表示時間の設定は、操作ボタン３９の操作にて行うことができる。ここでは、チェックボックス３１Ｂがチェックされることによって選択された画像に対し、こうした表示操作を行うことができるようになっている。その際には、制御部２１が、メモリ２３から指定された複数の画像情報を読み出し、一連の画像を所定のタイミングでディスプレイ２６に表示させる制御を行う。
【００２８】
なお、インデックス画面３０では、インデックス３１Ａであるサムネイル画像の１つを指でポイントすることにより、その画像のみディスプレイ２６の全体に表示させる「一枚表示」を行うようになっている。すなわち、制御部２１は、メモリ２３から指定された１つの画像情報を読み出して、ディスプレイ２６に表示させる制御を行う。
【００２９】
このように、インデックス画面３０においては、表示画像の選択と、「一枚表示」または「スライドショー」の表示方法の選択がなされる。
【００３０】
図４は、ディスプレイ２６における「一枚表示」の表示画面の一例を表している。この表示画面４０では、メモリ２３に保存されている画像のうち、インデックス画面３０にて指定された１つを、画像４１としてディスプレイ２６に大きく表示する。画面下欄には、画像４１に関する操作を行うための操作ボタン４２〜４９が並んでいる。操作ボタン４２〜４９のそれぞれに対応する操作内容は、図５の表４０Ａにまとめたとおりである。
【００３１】
操作ボタン４２は、「スロウ（throw）」を指示する。ここでいう「スロウ」とは、サブパネル２００が表示している画像４１を、サブパネル２００に代わってメインパネル１００に表示させる操作をいう。すなわち、サブパネル２００からメインパネル１００に画像４１の情報を転送し、表示画面をディスプレイ２６からディスプレイ１１に変更するのであるが、その具体的な制御動作等については、後述する。「スロウ」が実行されると、ディスプレイ２６は、例えば操作ボタン４３〜４９を表示する操作画面となる。
【００３２】
操作ボタン４３は、「スワップ（swap）」を指示する。すなわち、「スワップ」とは、サブパネル２００の画像４１と、メインパネル１００における表示画像とを交換する操作をいい、「キャッチ」と「スロウ」をほぼ同時に実行する処理が行われる。
【００３３】
操作ボタン４４は、「キャッチ」を指示する。この場合は、メインパネル１００にサブパネル２００の側から画像４１を送って表示させているとき（「スロウ」した状態）、その画像をサブパネル２００に呼び戻す操作をいう。
【００３４】
なお、操作ボタン４６の「前」，操作ボタン４７の「次」は、それぞれ、インデックス画面３０において指定したインデックス３０Ａ（画像４１に対応）のひとつ前のインデックス３０Ａ、ひとつ後のインデックス３０Ａの表示を行う操作である。インデックス３０Ａの画像のそれぞれには連番が付されており、これら「前」，「次」の操作は、番号が指定画像の前後である画像を表示するようになっている。
【００３５】
図６は、ディスプレイ２６における「スライドショー」画面の一例を表している。この表示画面５０では、メモリ２３に保存されている画像のうち、インデックス画面３０にて指定された複数の画像を、画像５１としてディスプレイ２６に大きく表示する。なお、一画像あたりの表示時間はインデックス画面３０などにおいて設定され、一連の画像を次々と表示するようになっている。画面下欄には、画像５１に関する操作を行うための操作ボタン５２〜６１が並んでいる。操作ボタン５２〜６１のそれぞれに対応する操作内容は、図７の表５０Ａにまとめたとおりである。
【００３６】
「スライドショー」の場合の「スロウ」は、「一枚表示」の場合と同様に、操作ボタン５２が押された時点での画像５１だけについて制御を行うものであってもよいが、ここでは、ディスプレイ２６が現に表示している画像５１のみならず、それ以降に表示すべき画像５１も含めて、メインパネル１００の側が引き続き表示するようになっている。「スロウ」が実行されると、ディスプレイ２６は、例えば操作ボタン５３〜６１と同様の操作ボタンを表示する操作画面となる。図８に、一例として操作画面７０を示す。操作画面７０の操作に応じて、制御部２１が制御信号を生成し、この制御信号と表示画像とをメインパネル１００に送信する。これにより、サブパネル２００における画像表示を、メインパネル１００に代行させることができる。
【００３７】
また、操作ボタン５３による「キャッチ」は、メインパネル１００でスライドショーを行っている場合に、操作ボタン５３が押された時点での表示画像を、サブパネル２００の側で表示させるようになっている。
【００３８】
操作ボタン５９による「リピート」は、スライドショーが一巡すると、また初めから再度スライドショーを行う制御を行うよう指示するようになっている。
【００３９】
以上のように、サブパネル２００は、画像表示をメインパネル１００に代行させたうえ、さらに、このメインパネル１００での画像表示に対する制御を行うことができるようになっている。
【００４０】
次に、この情報出力システム３００の動作について説明する。
【００４１】
サブパネル２００は、スロット２４にメモリ２３が差し込まれ、メモリ２３に記憶された静止画情報を読み取れる状態にある。まず、このサブパネル２００にインデックス画面３０を表示させる。制御部２１は、メモリ２３から画像を読み取り、メモリ処理部２５を介して受け取ると、これらの画像をサムネイルに加工し、インデックス３０Ａとしてディスプレイ２６に表示させる。ユーザは、このインデックス３０Ａを参照することにより、表示画像の選択と共に、「一枚表示」か「スライドショー」かのモード選択を行う。
【００４２】
次に、「一枚表示」が選択された場合の情報出力システム３００における動作制御について、図９〜図１３に示したフローチャートを参照しながら説明する。
【００４３】
＜サブパネル２００における一枚表示＞
ところで、メインパネル１００の方は、こうしてサブパネル２００の操作を行う間にも他の表示、例えば地上波放送を受信、表示しているものとする（ステップＳ１１）。ここで、サブパネル２００において「一枚表示」が選択されると、制御部２１は、ディスプレイ２６の画面を「一枚表示」用の表示画面４０（図４）に切り換え、画像４１を表示する（ステップＳ１２）。
【００４４】
＜メインパネル１００における一枚表示＞
さらに、画面上の操作ボタン４２が押され、「スロウ」が選択指示された場合には（ステップＳ１３；Ｙ）、制御部２１は、表示している画像４１を、通信制御部２２を介してメインパネル１００に送信する（ステップＳ１４）。なお、画像４１は、連番を付してメモリ２３に保存されている画像を対象としているので、以下では、指定画像の前後の順番を考慮し、画像４１は、画像４１Ａ，４１Ｂ，４１Ｃ，…という順の複数の指定画像からなるものとして説明をする。そこで、この時点でメインパネル１００に送信された画像を、画像４１Ａとしておく。
【００４５】
メインパネル１００では、通信制御部２が画像４１Ａを受信し、バッファ３に入力する（ステップＳ１５）。さらに、サブパネル２００の側では、制御部２１が通信制御部２２を介し、バッファ更新制御信号を送信する（ステップＳ１６）。メインパネル１００では、通信制御部２がこれを受信し、制御部１に入力する。制御部１は、入力されたバッファ更新制御信号に応じて、バッファ３の情報をバッファ４に移し替る。これにより、画像４１Ａの情報は、表示用のバッファ４まで入力されたことになる（ステップＳ１７）。
【００４６】
次いで、サブパネル２００の側では、制御部２１が通信制御部２２を介して、画像４１Ａの次の画像である画像４１Ｂを、メインパネル１００に送信する（ステップＳ１８）。メインパネル１００では、画像４１Ｂは、通信制御部２を介してバッファ３に入力される（ステップＳ１９）。
【００４７】
次に、サブパネル２００では、制御部２１が、メインパネル１００に対して切換制御信号を送信する（ステップＳ２０）。メインパネル１００では、制御部１が、切換制御信号を受信し、これに応じて、ＡＶＳＷ６の入力をアナログチューナ８からデコーダ５に切換制御を行う。なお、制御部１は、切り替え前のチャンネルをラストチャンネルとして記憶する。メインパネル１００は、この時点でバッファ４の情報を表示する。すなわち、画像４１Ａがディスプレイ１１に表示される（ステップＳ２１）。
【００４８】
一方のサブパネル２００は、制御部２１の制御により、画像４１Ａを「スロウ」した後にはディスプレイ２６に操作画面を表示する（ステップＳ２２）。この操作画面により、メインパネル１００に表示させた静止画を、サブパネル２００の側で操作できる。操作画面による操作がなければ（ステップＳ２３；Ｎ）、操作待ち状態が続く。
【００４９】
＜サブパネル２００によるメインパネル１００の表示制御＞
（１）  操作画面上の操作ボタン４７が押され、「次」が選択指示されると（ステップＳ２４）、制御部２１は、まずバッファ更新制御信号をメインパネル１００に送信する（ステップＳ２５）。メインパネル１００では、通信制御部２がこれを受信し、制御部１に入力する。制御部１は、入力されたバッファ更新制御信号に応じて、バッファ３に格納された画像４１Ｂの情報を、バッファ４に移し替る（ステップＳ２６）。これにより、メインパネル１００では、ディスプレイ１１に、画像４１Ａに換わって画像４１Ｂを表示する（ステップＳ２７）。
【００５０】
さらに、サブパネル２００の制御部２１は、通信制御部２２を介して、画像４１Ｂの次の画像である画像４１Ｃを、メインパネル１００に送信する（ステップＳ２８）。メインパネル１００では、画像４１Ｃは、通信制御部２を介してバッファ３に入力される（ステップＳ２９）。
【００５１】
このように２つのバッファ３，４を用い、バッファ４による表示中の時間を利用して次の画像の送受とバッファ３への格納を行うようにすれば、画像を切り換えるときの所要時間が短くて済む。例えば、あらかじめメモリ２３の全画像（画像４１Ａ，４１Ｂ，…）をメインパネル１００に転送するようにすると、立ち上がりにかなり時間がかかる。また、バッファを１つにし、画像を一枚だけ格納するようにする場合には、画像を切り換える際に、画像の転送に要する時間が常に発生するため、ユーザに不快感を与えかねない。
【００５２】
こうして、サブパネル２００からの指示により、メインパネル１００に「一枚表示」させる静止画像を、次の画像に切り換えることができる。なお、メインパネル１００に画像４１を表示しつつ、メインパネル１００，サブパネル２００は操作待ち状態に戻る。
【００５３】
（２）  操作画面上の操作ボタン４６が押され、「前」が選択指示されると（ステップＳ３０；Ｙ）、制御部２１は、メインパネル１００における表示画像４１の１つ前の画像４１を、メインパネル１００に送信する（ステップＳ３１）。いま、メインパネル１００には画像４１Ａが表示されており、その１つ前の画像を、画像４１Ｚとする。メインパネル１００は、画像４１Ｚを、通信制御部２を介して受信して、バッファ３に入力する（ステップＳ３２）。
【００５４】
さらに、サブパネル２００の制御部２１は、通信制御部２２を介して、バッファ制御信号をメインパネル１００に送信する（ステップＳ３３）。メインパネル１００では、入力されたバッファ制御信号に応じて、バッファ３とバッファ４の情報を交換する（ステップＳ３４）。これにより、表示用のバッファ４には、いましがた受信した画像４１Ｚが格納され、ディスプレイ１１に表示される（ステップＳ３５）。なお、この時点でバッファ３に格納されているのは、交換前に表示していた画像４１Ａの情報であるから、画像４１の並びも適正となっている。
【００５５】
こうして、サブパネル２００からの指示により、メインパネル１００に「一枚表示」させる静止画像を、１つ前の画像に切り換えることができる。なお、メインパネル１００に画像４１を表示しつつ、メインパネル１００，サブパネル２００は操作待ち状態に戻る。
【００５６】
（３）  操作画面上の操作ボタン４８が押され、「回転」が選択指示されると（ステップＳ３６；Ｙ）、制御部２１は、まず指定された画像（ここでは画像４１Ａ）を９０度回転させる処理を行う（ステップＳ３７）。それとともに、制御部２１は、メモリ２３の画像４１Ａの情報に、回転処理後の情報を上書きし、画像４１Ａの情報を修正する（ステップＳ３８）。続いて、制御部２１は、回転処理後の画像４１Ａを、メインパネル１００に送信する（ステップＳ３９）。
【００５７】
メインパネル１００では、回転処理後の画像４１Ａは、通信制御部２を介してバッファ３に入力される（ステップＳ４０）。次に、サブパネル２００の制御部２１は、バッファ更新制御信号をメインパネル１００に送信する（ステップＳ４１）。メインパネル１００では、通信制御部２がこれを受信し、制御部１に入力する。制御部１は、入力されたバッファ更新制御信号に応じて、バッファ３に格納された回転処理後の画像４１Ａの情報を、バッファ４に移し替る（ステップＳ４２）。
【００５８】
これにより、メインパネル１００では、ディスプレイ１１に、未処理時の画像４１Ａに換わって回転処理後の画像４１Ａが表示される（ステップＳ４３）。
【００５９】
さらに、サブパネル２００の制御部２１は、通信制御部２２を介して、画像４１Ａの次の画像である画像４１Ｂを、メインパネル１００に送信する（ステップＳ４４）。メインパネル１００では、画像４１Ｂは、通信制御部２を介してバッファ３に入力される（ステップＳ４５）。
【００６０】
こうして、サブパネル２００からの指示により、メインパネル１００に「一枚表示」させる静止画像を、９０度回転させることができる。なお、メインパネル１００に画像４１を表示しつつ、メインパネル１００，サブパネル２００は操作待ち状態に戻る。
【００６１】
（４）  操作画面上の操作ボタン４３が押され、「キャッチ」が選択指示されると（ステップＳ４６；Ｙ）、制御部２１は、切換制御信号をメインパネル１００に送信する（ステップＳ４７）。
【００６２】
メインパネル１００では、制御部１が、切り替えを行う前のチャンネル（ラストチャンネル）を記憶している。そこで、切換制御信号を受信した制御部１は、この制御信号に応じ、ＡＶＳＷ６の入力をデコーダ５からアナログチューナ８に切り換えて、ラストチャンネルを選局させる。よって、ディスプレイ１１には、ラストチャンネルが表示される（ステップＳ４８）。
【００６３】
一方、サブパネル２００は、制御部２１の制御により、メインパネル１００に表示させていた画像（画像４１Ａ）を表示する（ステップＳ４９）。
【００６４】
こうして、サブパネル２００からの指示により、メインパネル１００に「一枚表示」させていた静止画像を、サブパネル２００が取り戻す操作を行うことができる。これにより、メインパネル１００，サブパネル２００はともに「スロウ」を行う以前の状態に戻る。
【００６５】
（５）  なお、操作画面上の操作ボタン４４が押され、「スワップ」が選択指示されると、制御部２１は「スロウ」と「キャッチ」を同時に行うように制御を行う。すなわち、制御部２１は、サブパネル２００で表示している画像４１，その表示のための制御信号を、メインパネル１００に送信すると共に、メインパネル１００に表示させている画像４１をメモリ２３から読み出し、ディスプレイ２６に表示する。この動作制御により、ユーザには、メインパネル１００とサブパネル２００があたかも互いに表示画像４１の受け渡しを行ったかのようにみせることができる。
【００６６】
次に、「スライドショー」が選択された場合の情報出力システム３００における動作制御について説明する。
【００６７】
＜サブパネル２００におけるスライドショー＞
「スライドショー」は、一連の画像を所定の時間間隔で次々と表示させてゆくタイミング制御を行うことを除けば、「一枚表示」の場合と基本的に同じ制御動作によって実現される。サブパネル２００において「スライドショー」が選択されると、制御部２１は、ディスプレイ２６の画面を「スライドショー」用の表示画面５０（図６）に切り換えて、画像５１（画像５１Ａ，５１Ｂ，５１Ｃ，…）を所定の時間間隔で表示してゆく。
【００６８】
＜メインパネル１００におけるスライドショー＞
よって、画面上の操作ボタン５２が押され、「スロウ」が選択指示された場合には、制御部２１と制御部１は、上記「一枚表示」の場合と同様の制御を行う。まず、制御部２１は、表示している画像（画像５１Ａ）を、通信制御部２２を介してメインパネル１００に送信する。メインパネル１００では、通信制御部２が画像５１Ａを受信し、バッファ３に入力する。さらに、サブパネル２００では、制御部２１が、通信制御部２２を介してバッファ更新制御信号を送信する。メインパネル１００では、この制御信号を通信制御部２を介して制御部１が受け取り、バッファ３の情報（画像５１Ａ）をバッファ４に移し替る。
【００６９】
次いで、サブパネル２００では、制御部２１が通信制御部２２を介して、画像５１Ａの次の画像である画像５１Ｂを、メインパネル１００に送信する。メインパネル１００では、画像５１Ｂは、通信制御部２を介してバッファ３に入力される。
【００７０】
次に、サブパネル２００では、制御部２１が、メインパネル１００に対して切換制御信号を送信する。メインパネル１００では、制御部１が、切換制御信号を受信し、これに応じてＡＶＳＷ６の入力をアナログチューナ８からデコーダ５に切り換える。メインパネル１００は、この時点でバッファ４の情報（画像５１Ａ）をディスプレイ１１に表示する。
【００７１】
なお、この場合には、制御部２１は、上記のいずれかの時点で、指定された画像の切換タイミングをバッファ３，４の更新制御タイミングとして制御部１に送信する。その後は、制御部２１は、この更新制御タイミングにより、メモリ２３内の画像５１Ｃ，５１Ｄ，…を順次送信する。一方、制御部１は、この更新制御タイミングで、まずバッファ３の情報をバッファ４に移してバッファ４の情報を更新してから（表示画像が切り替わる）、バッファ３に、新たに送信されてくる画像５１の情報を上書きする。メインパネル１００とサブパネル２００は、更新制御タイミングごとに、この動作を繰り返す。
【００７２】
ここでは、メインパネル１００に２つのバッファ３，４を設け、バッファ４による表示中にバッファ３に次の画像５１を格納しておくようにしているので、特に、こうして逐次画像５１を転送する場合でも、途切れることなく画像を切り換えつつ表示させることができ、効率のよい処理を行うことができる。
【００７３】
なお、サブパネル２００は、制御部２１の制御により、画像５１Ａを「スロウ」した後にはディスプレイ２６に操作画面を表示する。この操作画面により、メインパネル１００のスライドショー画像を、サブパネル２００の側で操作できる。
【００７４】
＜サブパネル２００によるメインパネル１００の表示制御＞
制御部２１は、「スライドショー」時も「一枚表示」時と同様、メインパネル１００に表示させた画像５１に対する操作を行うことができる。ただし、画像５１に対する「リピート」，「一時停止」，「再生」などの各種操作は、いったんディスプレイ２６におけるスライドショーを停止して行う必要がある。また、画像５１を「スロウ」した後のメインパネル１００に対する「前」，「次」等の操作は、更新制御タイミングに割り込んで実行するようにしなければならない。
【００７５】
このように本実施の形態では、メインパネル１００，サブパネル２００の間の通信を利用して、サブパネル２００にメモリ２３から入力される画像情報を、サブパネル２００に代わってメインパネル１００が「一枚表示」，「スライドショー」それぞれの形態で表示することを可能としたので、ユーザは、サブパネル２００に装着したメモリ２３の内容（画像）を、メインパネル１００で見ることができる。よって、メインパネル１００とサブパネル２００とは、所定の画像をいずれが一方が表示するようになっており、選択された画面に即座に表示を切り換えることができる。ユーザは、従来のようにメモリ２３を入れ換えたりする必要がなく、２つのパネルを使用できる。また、メインパネル１００，サブパネル２００の間で制御信号の送受信を行うことにより、サブパネル２００のＧＵＩによる操作画面を使って、メインパネル１００に表示させた画像の各種操作を行うことができるようにしたので、操作性よく２つのパネルを使用できる。よって、ユーザは、メインパネル１００において画像の大画面表示を楽しみながら、サブパネル２００により、画面から離れた位置で楽に操作を行うことができる。
【００７６】
以上、実施の形態をあげて本発明を説明したが、本発明は実施の形態に限定されるものではなく、変形が可能である。例えば、上記のメインパネル１００とサブパネル２００の構成はあくまでも一例であって、本発明の送信用表示装置および受信用表示装置は、双方向通信を行うことにより画像を転送し、一方が他方に代わって画像を表示するものであればよく、それ以外の機能や構成にはこだわらない。
【００７７】
また、実施の形態では、「スロウ」や「キャッチ」を、メインパネル１００またはサブパネル２００が、相手に成り代わって表示を行う操作（相手と完全に入れ代わる）として説明したが、その場合に、表示を代行させた装置においても、そのまま表示を続けるようにすることもできる。具体例としては、サブパネル２００において表示画像をメインパネル１００に「スロウ」するときに、メインパネル１００にサブパネル２００の肩代わりをさせたうえで、サブパネル２００自身も表示を続けるような場合がある。
【００７８】
また、実施の形態では、サブパネル２００における「キャッチ」を、メモリ２３の画像だけ取り戻すようにしたが、メインパネル１００の放送受信時には、その受信映像をサブパネル２００が引き取るようにすることも可能である。
【００７９】
また、実施の形態では、メインパネル１００に表示させた画像のサブパネル２００による「回転」処理を、サブパネル２００が行うようにしたが、例えばサブパネル２００からメインパネル１００に制御信号と画像を送り、メインパネル１００の側に回転処理をさせるようにしてもよい。
【００８０】
さらに、実施の形態では、メインパネル１００には２つのバッファ３，４を設けるようにしたが、「前」，「次」などの操作時に画像転送の手間が省けるという利便性を考えると、バッファを３つ以上設けるようにしてもよい。その場合、最初の転送にはバッファの数に応じた転送時間がかかるが、「２つ前」の画像を表示させるなど、画像の格納数の分だけ複雑な操作を可能とする。
【００８１】
また、実施の形態では、もっぱら、サブパネル２００がメインパネル１００を操作する場合について説明したが、反対に、メインパネル１００がメモリ２３から画像を読み出し、サブパネル２００に表示させたり、その表示画像を操作したりするようにしてもよい。さらに、メインパネル１００とサブパネル２００とが、互いに操作制御を行うように構成することもできる。
【００８２】
なお、実施の形態では、メモリ２３に保存された静止画像を表示するようにしたが、静止画像以外に、動画像やテキストデータを表示させてもよく、音声を出力することもできる。また、例えば画像を表示する際に、関連する音声を同期出力するようにしてもよい。また、こうした各種の情報を外部入力する手段としては、メモリのほか、例えばインターネット配信等に利用する有線または無線の通信媒体が挙げられる。
【００８３】
実施の形態では、メインパネル１００とサブパネル２００とは相互に無線により通信を行う構成としたが、本発明における表示操作端末装置および画像表示装置は、無線だけでなく、有線による通信を行うものであってよく、その場合の接続形態も特に限定しない。
【図面の簡単な説明】
【００８４】
【図１】本発明の一実施の形態に係る情報出力システムの構成図である。
【図２】図１に示したサブパネルにおけるインデックス画面を表す図である。
【図３】図２に示したインデックス画面の表示事項と操作内容の対応関係を表す図である。
【図４】図１に示したサブパネルにおける「一枚表示」画面を表す図である。
【図５】図４に示した「一枚表示」画面の表示事項と操作内容の対応関係を表す図である。
【図６】図１に示したサブパネルにおける「スライドショー」画面を表す図である。
【図７】図６に示した「スライドショー」画面の表示事項と操作内容の対応関係を表す図である。
【図８】図１に示したメインパネルにおける「スライドショー」時に、サブパネルに表示される操作画面を表す図である。
【図９】図１に示した情報出力システムにおける動作を説明するためのフローチャートである。
【図１０】図９に続くフローチャートである。
【図１１】図９に続くフローチャートである。
【図１２】図９に続くフローチャートである。
【図１３】図９に続くフローチャートである。
【符号の説明】
【００８５】
１…制御部、２…通信制御部、３…バッファ（保存用）、４…バッファ（表示用）、５…デコーダ、６…ＡＶスイッチ（ＳＷ）、７…ディジタルチューナ、８…アナログチューナ、９…ビデオ信号再生回路、１０…信号処理回路、１１…ディスプレイ、２１…制御部、２２…通信制御部、２３…メモリ、２４…スロット、２５…メモリ処理部、２６…ディスプレイ、３０…インデックス画面、３１Ａ…インデックス、３１Ｂ…チェックボックス、３２〜３９，４２〜４９，５２〜６１…操作ボタン、４０，５０…表示画面、４１，５１…画像、７０…操作画面、１００…メインパネル、２００…サブパネル、３００…情報出力システム。
【図１】
2005039506.tif 000003
【図２】
2005039506.tif 000004
【図３】
2005039506.tif 000005
【図４】
2005039506.tif 000006
【図５】
2005039506.tif 000007
【図６】
2005039506.tif 000008
【図７】
2005039506.tif 000009
【図８】
2005039506.tif 000010
【図９】
2005039506.tif 000011
【図１０】
2005039506.tif 000012
【図１１】
2005039506.tif 000013
【図１２】
2005039506.tif 000014
【図１３】
2005039506.tif 000015